(57)【要約】【課題】  ペットに不快感を与えることなく、体温データを検出できるＩＣタグを用いたペット監視装置の提供。【解決手段】ペット監視装置であって、電源電池を備え、所定時分ごとに温度を測定・記憶する第１の測温部と、温度測定部を有するＩＣタグを備え、ペットの体内の適所に埋め込み可能で体温測定可能な第２の測温部と、測定された体温情報を読取るＩＣタグ読み取り部と、血統情報，体重値等の生体情報，予防接種情報等を入力可能な入力部と、体温測定部による測定値を記憶する記憶部と、記憶部により記憶されている各種生体情報をトレンド表示するとともに、第１の測温部で予め測定された所定時間の体温のトレンド記憶しておき、第２の測温部で測定し、ペットのＩＤデータとともにトレンド記憶した体温データと比較表示するようにしたことを特徴とする【選択図】図２
2007236250.tif 000002
【特許請求の範囲】
【請求項１】
ペット監視装置であって、
電源電池を備え、所定時分ごとに温度を測定・記憶する第１の測温部と、温度測定部を有するＩＣタグを備え、ペットの体内の適所に埋め込み可能で体温測定可能な第２の測温部と、測定された体温情報を読取るＩＣタグ読み取り部と、血統情報，体重値等の生体情報，予防接種情報等を入力可能な入力部と、前記第１の測温部による測定値を記憶する記憶部と、前記記憶部により記憶されている各種生体情報をトレンド表示するとともに、前記第１の測温部で予め測定された所定時間の体温のトレンド記憶しておき、前記第２の測温部で測定し、前記ペットのＩＤデータとともにトレンド記憶した体温データと比較表示するようにしたことを特徴とするペット監視装置。
【請求項２】
さらに、体重，血糖等の生体情報もトレンド記憶し、表示するようにしたことを特徴とする請求項１記載のペット監視装置。
【請求項３】
所定の閾値以上の体温変化または所定の閾値以上／以下の体温が検出されるとアラームを発生することを特徴とする請求項１記載のペット監視装置。
【発明の詳細な説明】
【技術分野】
【０００１】
本発明は、ペット、特に、イヌやネコ等の体温情報を容易に取得できるＩＣタグ、それを埋めこまれるか装着されたペットからの体温情報を監視するペット監視装置に関する。
【背景技術】
【０００２】
近年、イヌ等のペットの寿命が延び、ペットを飼育する際の日々の健康管理の必要性が高まってきている。また、イヌだけでも６００万匹がペットとして登録されている。こうした状況で、服状のセンサーモジュールをペットに装着して心拍、心拍変化率を測定し、ペットの生体状態を無線で把握する装置が提案されている（特許文献１）。しかしながら、体温を測定するものでなく、センサー部は電極を含み、必ずペットの皮膚と接触するもので少なからず不快感を与えるものである。首輪に埋め込まれた非接触型のＩＣチップにより、ＩＤコードと照合し、飼い主情報、連絡先情報を速やかに取得できる管理システムが提案されている（特許文献２）。また、温度センサと一体化されたＩＣタグにより、軸受の異常検査システムが提案されている（特許文献３）ものの、ペットの体温データを監視するシステムは未だ提案されていない。
【特許文献１】特開２００４−１３８号公報
【特許文献２】特開２００４−３５７５８９号公報
【特許文献３】特開２００５−３２２５６号公報
【発明の開示】
【発明が解決しようとする課題】
【０００３】
本発明の目的は、上記問題点に鑑みてなされたもので、ペットに不快感を与えることなく、体温データを検出できるＩＣタグを用いたペット監視装置を提供することにある。
【課題を解決するための手段】
【０００４】
上記課題を解決するために、本発明のペット監視装置は、電源電池を備え、所定時分ごとに温度を測定・記憶する第１の測温部と、温度測定部を有するＩＣタグを備え、ペットの体内の適所に埋め込み可能で体温測定可能な第２の測温部と、測定された体温情報を読取るＩＣタグ読み取り部と、血統情報，体重値等の生体情報，予防接種情報等を入力可能な入力部と、第１の測温部による測定値を記憶する記憶部と、記憶部により記憶されている各種生体情報をトレンド表示するとともに、第１の測温部で予め測定された所定時間、例えば、２４時間の体温のトレンド記憶しておき、第２の測温部で測定し、ペットのＩＤデータとともにトレンド記憶した体温データと比較表示するようにしたことを特徴とする。また、体重，血糖等の生体情報もトレンド記憶し、表示するようにしたことを特徴とする。また、所定の閾値以上の体温変化または所定の閾値以上／以下の体温が検出されるとアラームを発生することを特徴とする。
【発明の効果】
【０００５】
本発明の温度測定部を有するＩＣタグを用いたペット監視システムによれば、ペットに行動の自由を与え、不快感を与えることなく、体温データを検出でき、体温異常を速やか判断できる。
【発明を実施するための最良の形態】
【０００６】
＜システムの全体構成＞
図１は、本発明の一実施例を示すプロック図を含む図である。なお、本発明は、実施例に限定されるものではない。
【０００７】
図１において、Ｐはイヌ，ネコなどのペットで、背中等の生体内に埋め込み可能な温度測定部を有するＩＣタグ（ＲＦＩＤ）１００が埋め込まれているか、首輪，ペット用洋服の内側などに装着されている。このため、ペットＰは、屋内、屋外を問わず、自由に動き回ることができる。
【０００８】
図１において、ペットＰは、図１に示すように埋め込まれているか首輪の内側などに装着されているＩＣタグ（第２の測温部）１００の体温情報を読取ることにより、監視されている。ペットＰの体温情報（またはそれに相当する体温情報）は、屋内、屋外を問わず、間歇測定可能である。
【０００９】
携帯電話型の携帯端末（端末装置）５０は、制御部（ＣＰＵ）５１０、表示部５１３、外部通信部５５２、ＩＣタグ読取り部５５３、入力部（機能キー）５１４、記憶部５１９を備えている。携帯端末５０と管理／獣医師サイト７、会員サーバー９とは、外部通信部５５２、情報通信ネットワーク８を介して、相互に情報が伝送できるようになっている。なお、５２１は撮像部（カメラ）である。携帯端末５０は、必ずしも携帯端末である必要はなく、飼い主が自宅等で据え置き型にしてもよいし、携帯端末と併用してもよい。会員サーバー９には、会員情報（飼い主の情報（氏名，住所，会員番号（ＩＤ）等やその会員が飼育しているペットの情報（種類，性別，血統，生年月日，生まれた場所，予防接種の情報等），その他各種サービスの情報が記憶されている。
【００１０】
制御部（ＣＰＵ）５１０は、ＲＯＭ５１７，ＲＡＭ５１８などに記憶されたコンピュータ読み取り可能なプログラム、所定の条件などに基づいてシステム全体の処理フローを実行する制御部（ＣＰＵ）である。また、入力部５１４は、必要に応じて伝言、メモ、生体情報等が年月日・時刻情報とともに入力可能となっている。生体情報としては、血糖値，尿試験情報（尿糖，潜血，尿タンパク等），血圧値，心拍数，呼吸数，体重，体長などである。これらの情報を入力部５１４で都度入力し、記憶部５１９に記憶するか、情報通信ネットワーク８を通じて会員サーバー９に会員のＩＤ、ペットＰのＩＤと併せて記憶し、成長記録が確認できるようにしておき、種々の会員サービスを受けられるようにしてもよい。ＩＣタグ読み取り部５５３は、所定時間、例えば、１０〜６０分毎に間歇的に１３．５６ＭＨｚの電磁波を発生させて、ペットＰの適所、背中等に埋め込まれるか首輪等の内側に装着されたＩＣタグ１００（第２の測温部）に送信し、温度測定部で測定される体温情報を読取る。なお、５５６は、温度センサで室温，外気温を測定するためのものである。制御部５１０は、ＲＯＭ５１７，ＲＡＭ５１８などに記憶されたコンピュータ読み取り可能なプログラムに基づいてシステム全体の処理や体温データの演算処理を行い、ペットＰの体温の状態を監視・判断する。体温データの演算処理には、ペットＰの平常時の生体データとのパターン比較などが含まれる。管理／獣医師サイト７において、７０は、コンピュータ（端末装置）、７１は、システム全体の処理フローを実行する制御部（ＣＰＵ）、７２は、外部通信部、７３は表示部、７４は入力部、７５は記憶部、７６は各種演算処理を行なう演算部である。
【００１１】
＜ＩＣタグの構成＞
図２（ｂ）において、１０１は、ＩＣタグ読み取り部５５３（図１参照）からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、測定された体温情報、被検者Ｐの情報等も記憶可能である。なお、ロジック部１１０は、より複雑な処理フローの制御が可能なＣＰＵとしてもよい。
【００１２】
温度センサ１０６としては、温度変化に対してほぼリニアにアナログ出力し、小型化・ＩＣタグとの一体化が可能で、３２〜４２℃の間で所定の温度分解能、例えば０．１〜０．０５℃である、半導体型の温度センサ、例えばＣ−ＭＯＳ温度センサが好ましく用いられるが、サーミスタ型、サーモパイル（熱電対）型でも可能である。１０３は、ペットＰに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ（ＲＦＩＤ：第２の測温部）１００の各部に電源を供給する。１０７はＡ／Ｄ変換部であり、温度センサ１０６と発振回路（不図示）で発生した体温信号をＡ／Ｄ変換するものである。
【００１３】
ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違ったペットＰの情報を取得しないようにアンチ・コリージョンタイプとしたり、アンテナ１０３ａから出力される信号を暗号化処理可能にしてセキュリティ機能を持たせることができる。また、ＥＥＰＲＯＭ１０２には、飼い主の情報（氏名，住所，会員番号（ＩＤ）等）やペットの情報（種類，性別，血統，生年月日，生まれた場所，予防接種の情報等）が記憶されている。こうして、仮に迷いペットとなっても、ＩＣタグ（ＲＦＩＤ）１００の情報を読取ることで、飼い主が容易に判明し、連絡することができる。
【００１４】
＜電池内蔵ＩＣタグの構成＞
図２（ｃ）において、２０１は、ＩＣタグ読取端子５２０に電池内蔵ＩＣタグ２００を接続し、ＣＰＵ５１０によるＩＣタグ読取り信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、測定された体温情報、ペットＰの情報等も記憶可能である。なお、ロジック部２１０は、より複雑な処理フローの制御が可能なＣＰＵとしてもよい。
【００１５】
温度センサ２０６としては、温度変化に対してほぼリニアにアナログ出力し、小型化・ＩＣタグとの一体化が可能で、３２〜４２℃の間で所定の温度分解能、例えば０．１〜０．０５℃である、半導体型の温度センサ、例えばＣ−ＭＯＳ温度センサが好ましく用いられるが、サーミスタ型、サーモパイル（熱電対）型でも可能である。２０３は、ペットＰに設けられた温度測定部を有するＩＣタグ２００の体温情報を信号線を介して送信するための外部通信部、２０４は電源部、２０４ａは電源供給のための電池である。２０７はＡ／Ｄ変換部であり、温度センサ２０６と発振回路（不図示）で発生した体温信号をＡ／Ｄ変換するものである。ＩＣタグ（第１の測温部）２００は、１０ｍｍФ、厚さ１．５ｍｍ程度の大きさである。外部通信部２０３から出力される信号を暗号化処理可能にしてセキュリティ機能を持たせることができる。このＩＣタグ２００は、測定間隔にもよるが測定間隔が１分で３日分程度、５分で２週間分程度、１０分で１ケ月分程度の体温測定・記憶が可能となっている。測定間隔の設定は専用の書き込み装置で行なうか、携帯端末５０の入力部５１４で行い、ＩＣタグ読取端子５２０、外部送受信部２０３を介して、ＥＥＰＲＯＭ２０２に書き込まれる。
【００１６】
＜電池内蔵ＩＣタグによる体温情報取得＞
ペットＰに対して飼い主は、まず、ＩＣタグ２００を備えた第１の測温部をペットＰに対して、面ファスナー等を備える囲包部材で囲包し、首輪，胴衣などに着脱自在に装着したりしてＩＣタグ２００が接触するように身体の適所に装着する。所定期間、例えば、春季，夏季，秋季，冬季の任意に選択した１ケ月分、１週間分、１日（２４時間）分測定・記憶し、ＥＥＰＲＯＭ２０２に時刻とともに体温情報が記憶される。記憶された体温情報は、端末５の所定位置に第１の測温部をセットすることにより、外部送信部２０３からＩＣタグ読取り端子５２０を介して記憶部５１９に記憶される。図３は、春季，夏季，秋季，冬季の任意に選択した１日（２４時間）分測定・記憶し、ＥＥＰＲＯＭ２０２に時刻とともに記憶された体温のトレンド情報を表示部５１３に表示する一例である。管理／獣医師サイト７の表示部７３でも同様の体温のトレンド情報を表示できるようになっている。
【００１７】
＜体温情報取得の処理フロー＞
図４は、体温情報取得の処理フローを示すものである。入力部５１４で測定開始の指示入力を行なう(あるいは、開始日時時刻を予め設定入力しておき、自動で開始するようにする)（ステップＳ１）。体温情報は、外出時等屋外では、５〜１０分毎に、室内においては、３０〜６０分毎に、ＩＣタグ１００にＩＣタグ読取り部５５３から１３．５６ＭＨｚの電磁波を送信（送受信距離は、１０ｃｍ〜１ｍ程度）し、その信号と同期して得られる温度センサ１０６の体温情報を読取る（ステップＳ２）。これらの体温情報は、気温情報と併せて記憶部４４に記憶される(ステップＳ３)。この体温情報は閾値と比較される（ステップＳ４）。この生体情報は閾値と比較される。例えば、体温（直腸温）の場合、大型のイヌで平均体温は３７．５〜３８．６℃、小型のイヌで平均体温は３８．６〜３９．２℃、ネコで３８．０〜３９．２℃であることを考慮して、イヌの場合、デフォルト値として、例えば、上限値を３９．０℃、下限値を３６．０℃としている。この上限値、下限値は、飼い主により適宜設定変更可能としている。この体温情報が異常と判断されると、アラームを発生させ（ステップＳ５）、携帯端末５０の表示部５１３に表示したり、ブザーや音声などでも報知するようにする。情報ネットワーク８を介して、管理／獣医師７の担当医に報知するようにしてもよい。また、撮像部（カメラ）５２１でペットＰを撮影し、その画像を情報ネットワーク８を介して、管理／獣医師７の担当医に送信することで、ペツトＰの状態を判断してもらい、携帯端末５０にフィードバックしてもらうようにしてもよい。異常が無い場合は、ステップＳ１に戻り、設定された時間の間、体温情報を所定の間隔（分）で得るようにする。図５は、携帯端末５０の表示部５１３に表示される体温／気温の表示例である。ペットＰの画像情報も表示できるようになっている。このような表示は情報通信ネットワーク８を介して、管理／獣医師サイト７のコンピュータ７０の表示部７３に表示できるようになっている。
【００１８】
測定間隔は１０〜３０分間でなく、入力部（機能キー）５１４で、任意の間隔に設定できる。また、温度上昇率（℃／分）が所定の上昇率を越えたときに、測定間隔を５〜１０分程度に短くするようにしてもよい。判断手段は、例えば、ペットＰの体温の状態を次のような判断基準に基づき判定する。体温が予め設定していた健康とされる数値範囲内であれば、健康（異常なし）である。また、携帯端末５０に外気温を測定するための温度センサ５５６を設け、測定された外気温をペットＰの体温情報と併せて、図５に示すように表示部５１３に表示するようにしてもよい。測定されたペットＰの体温が所定の数値範囲以外にある時は、音声，アラーム，表示などで報知する。また、表示部５１３に示すように、体重変化のトレンドグラフを表示し、標準値，上限値，下限値と比較表示することでペツトＰの成長の様子が一瞥できる。
【００１９】
＜他の使用形態＞
本発明のペット監視装置に使用する携帯端末５０と第１の測温部を用いて通常のペット用の電子体温計として使用できる。この場合、ペットＰの首輪等の内側や身体の適所に第１の測温部を貼り付けるなどして装着し、所定時間（１〜５分程度）体温測定すると体温情報は、ＥＥＰＲＯＭ２０２に時刻とともに体温情報が記憶される。記憶された体温情報は外部送信部２０３から信号線を介してＩＣタグ読み取り端子５２０を経て携帯端末５０の記憶部５１９に記憶される（読取り開始スイッチ等を設けて読取り開始指示を行なうようにしてもよい）。記憶された体温情報の最高値を、測定された体温として表示部５１３に表示する。
【図面の簡単な説明】
【００２０】
【図１】本発明の一実施例を示すシステム全体図とブロック図である。
【図２】本発明の実施例の温度測定部を有するＩＣタグのブロック図である。
【図３】本発明の実施例に係る体温トレンドの表示例を示す図である。
【図４】本発明の実施例に係る生体情報の取得処理フローを示す図である。
【図５】本発明の実施例に係る表示例を示す図である。
【符号の説明】
【００２１】
７・・・管理サイト、８・・・情報通信ネットワーク、９・・・会員サーバー、５０・・・携帯端末、１００，２００・・・ＩＣタグ、１０１，２０１・・・ＲＡＭ、１０２，２０２・・・ＥＥＰＲＯＭ、１０３・・・送信受信回路、１０３ａ・・・アンテナ、１０６・・・温度センサ、Ｐ・・・ペット
【図１】
2007236250.tif 000003
【図２】
2007236250.tif 000004
【図３】
2007236250.tif 000005
【図４】
2007236250.tif 000006
【図５】
2007236250.tif 000007